(57)【要約】【課題】  血管の分岐部における、ガイドワイヤに対するカテーテルの追従性を向上させ、目的の分岐管にカテーテルを確実に到達させることができるとともに、細い血管にも容易に挿入できるカテーテルを提供する。【解決手段】  このカテーテル１０は、先端部２１が斜めにカットされた形状をなし、かつ、該先端部２１の短い方の周壁２１ａを他の部分に比べて硬く形成されている。そのため、先端部２１の長い方の周壁２１ｂが内側に、短い方の周壁２１ａが外側となる方向性をもって屈曲するので、血管の分岐部にてカテーテル１０を挿入すると、方向性により長い方の周壁２１ｂが内側に、短い方の周壁２１ａが外側となって屈曲し、短い方の周壁２１ａが分岐管３の角部に引っ掛かっても、分岐管３の角部を滑り抜けて、分岐管３にスムーズに導入することができる。【選択図】  図６
2005312726.tif 000002
【特許請求の範囲】
【請求項１】
チューブ状のカテーテルであって、該カテーテルの先端部が斜めにカットされた形状をなし、かつ、該先端部の短い方の周壁を他の部分に比べて硬く形成されていることを特徴とするカテーテル。
【請求項２】
チューブ状のカテーテルであって、該カテーテルの先端部が斜めにカットされた形状をなし、かつ、該先端部の長い方の周壁を内側に向けて屈曲した形状に付形されていることを特徴とするカテーテル。
【請求項３】
斜めにカットされた形状をなした前記先端部の端面に、前記カテーテルよりも柔軟な部材からなる円筒状壁部が延長して設けられている請求項１又は２記載のカテーテル。
【請求項４】
前記先端部の短い方の周壁を硬くさせるための部材、前記先端部の長い方の周壁を内側に向けて屈曲した形状に付形させるための部材、又はカテーテルを補強する部材として、外周に配置された超弾性合金と、その中心部に配置されたＸ線不透過性材料とで構成された線材が用いられている請求項１〜３のいずれか１つに記載のカテーテル。
【発明の詳細な説明】
【技術分野】
【０００１】
本発明は、例えば血管、尿管、胆管、気管などの人体の管状器官に、ガイドワイヤの外周に沿って挿入される医療用カテーテルに関する。
【背景技術】
【０００２】
近年、血管、尿管、胆管、気管などの人体の管状器官における検査・治療のため、カテーテルを挿入して造影剤などの薬剤を投与したり、カテーテルを通して鉗子等によって組織の一部を採取したりすることが行われている。
【０００３】
すなわち、図１０に示されるように、まず、管状器官内に細くて柔軟なガイドワイヤ１を先行して挿入し、ガイドワイヤ１の先端を目的箇所に到達した後、ガイドワイヤ１の外周に沿ってカテーテル２が挿入される。この際に、図１０（Ａ）に示されるように、カテーテル２の先端が分岐管３の角部に引っ掛かってしまう場合があり、目的の分岐管３にカテーテル２を到達させることができないことがあった（図１０（Ｂ）参照）。このことは、ガイドワイヤ１に対するカテーテル２の追従性が悪い場合に多く発生していた。
【０００４】
下記特許文献１には、手元端から最先端部まで連通した吸引ルーメンを内部に持つメインシャフトと前記メインシャフトの最先端部にガイドワイヤーに追随するためのガイドワイヤールーメンを内部に持つガイドワイヤーシャフトと前記メインシャフトの手元端にハブを有する吸引カテーテルであって、前記メインシャフトの先端部が斜め方向にカットされており、前記ガイドワイヤーシャフトの先端部が該斜めカットされた前記メインシャフトの最先端部に位置するか、もしくは該最先端部よりも先端側に突出して位置したことを特徴とする吸引カテーテルが開示されている。
【特許文献１】特開２００４−６５３２６号公報
【発明の開示】
【発明が解決しようとする課題】
【０００５】
上記特許文献１の吸引カテーテルは、メインシャフトの先端側にガイドワイヤーシャフトを設けている。そして、このガイドワイヤーシャフトの設置によるメインシャフトの硬さの増加を抑えるために、メインシャフトの先端が斜め方向にカットされている。これにより、吸引カテーテルの柔軟性を確保して、ガイドワイヤに対するカテーテルの追従性を向上させている。
【０００６】
しかしながら、血管内の屈曲した分岐部に吸引カテーテルを挿入する際においては、次のような問題があった。すなわち、前記吸引カテーテルは、その先端部に前記ガイドワイヤーシャフトが設けられているため、先端部が斜め方向にカットされていても十分な柔軟性を確保することは難しく、血管の分岐部において曲がりにくく、スムーズに挿入できないことが多かった。また、前記ガイドワイヤーシャフトが、分岐管の角部に引っ掛かってしまうこともあり、この場合も、吸引カテーテルをスムーズに挿入することはできなかった。
【０００７】
更に、斜め方向にカットされたメインシャフトは、その先端部が血管の分岐部において、どのような向きで挿入されるかが何ら開示されておらず、メインシャフトの先端を斜め方向にカットした意義は、メインシャフトの柔軟性を確保するためだけであるものと考えられる。
【０００８】
加えて、前記吸引カテーテルは、メインシャフトの先端に、更にガイドワイヤーシャフトが設けられているので、全体として大型化してしまい、細い血管に挿入することは難しく、また、構成部材が多く、製造コストが増加してしまうことにもなる。
【０００９】
したがって、本発明の目的は、血管の分岐部における、ガイドワイヤに対するカテーテルの追従性を向上させ、目的とする分岐管にカテーテルを確実に到達させることができるとともに、細い血管にも容易に挿入でき、更に製造コストも低減できるカテーテルを提供することにある。
【課題を解決するための手段】
【００１０】
上記目的を達成するため、本発明の第１は、チューブ状のカテーテルであって、該カテーテルの先端部が斜めにカットされた形状をなし、かつ、該先端部の短い方の周壁を他の部分に比べて硬く形成されていることを特徴とするカテーテルを提供するものである。
【００１１】
上記第１の発明によれば、斜めにカットしたカテーテルの先端部における、短い方の周壁を他の部分に比べて硬く形成したので、短い方の周壁は変形しにくく、一方、周方向の反対側における長い方の周壁は変形しやすくなる。すなわち、先端部の長い方の周壁が内側に、短い方の周壁が外側となるような方向性をもって屈曲しやすくなる。
【００１２】
そして、カテーテルの先端部を血管等の分岐部に至らせ、目的とする分岐管に予め挿入されたガイドワイヤに沿って進行させ、カテーテルの先端を分岐管に挿入すると、上記方向性によって先端部の長い方の周壁が内側に、短い方の周壁が外側となって屈曲する。その結果、短い方向の周壁の端部が分岐管の角部に引っ掛かったとしても、その部分は斜めにカットされているので分岐管の角部を滑り抜けてスムーズに目的とする分岐管に導入することができる。
【００１３】
したがって、本発明のカテーテルによれば、分岐管の角部にカテーテルの先端部が引っ掛かることがなく、目的とする分岐管にスムーズに進行させることができるので、特に血管の分岐部における、ガイドワイヤに対するカテーテルの追従性を向上させることができる。
【００１４】
また、本発明のカテーテルは、上記特許文献１のように、カテーテルの外周にガイドワイヤを挿通させるための部材等を、別途設ける必要がない。そのため、カテーテルが大型化しないので、細い血管内においても、容易に挿入することが可能で、ガイドワイヤ挿通用の部材を設ける必要もないので、製造コストの低廉化を図れる。
【００１５】
本発明の第２は、チューブ状のカテーテルであって、該カテーテルの先端部が斜めにカットされた形状をなし、かつ、該先端部の長い方の周壁を内側に向けて屈曲した形状に付形されていることを特徴とするカテーテルを提供するものである。
【００１６】
上記第２の発明によれば、カテーテルの先端部を斜めにカットしたことに加えて、予め先端部の長い方の周壁を内側に向けて屈曲した形状に付形しているので、前記のようにカテーテルの先端部を血管等の分岐部に至らせ、目的とする分岐管に予め挿入されたガイドワイヤに沿って進行させ、カテーテルの先端を分岐管に挿入すると、上記付形形状によって先端部の長い方の周壁が内側に、短い方の周壁が外側となって屈曲した状態となる。その結果、短い方向の周壁の端部が分岐管の角部に引っ掛かったとしても、その部分は斜めにカットされているので分岐管の角部を滑り抜けてスムーズに目的とする分岐管に導入することができる。したがって、この発明においても、特に血管の分岐部における、ガイドワイヤに対するカテーテルの追従性を向上させることができる。また、上記第１の発明と同じく、カテーテルが大型化せず細い血管でも容易に挿入でき、構成部材も少ないので製造コストの低廉化を図れる。
【００１７】
本発明の第３は、前記第１又は第２の発明において、斜めにカットされた形状をなした前記先端部の端面に、前記カテーテルよりも柔軟な部材からなる円筒状壁部が延長して設けられているカテーテルを提供するものである。
【００１８】
上記第３の発明によれば、血管の分岐管の角部に、円筒状壁部が当接すると、柔軟な円筒状壁部は押圧されるので、分岐管の角部に引っ掛かることなく、目的の分岐管にスムーズに進行させることができる。
【００１９】
本発明の第４は、前記第１〜３の発明のいずれか１つにおいて、前記先端部の短い方の周壁を硬くさせるための部材、前記先端部の長い方の周壁を内側に向けて屈曲した形状に付形させるための部材、又はカテーテルを補強する部材として、外周に配置された超弾性合金と、その中心部に配置されたＸ線不透過性材料とで構成された線材が用いられているカテーテルを提供するものである。
【００２０】
上記第４の発明によれば、前記先端部の短い方の周壁を硬くさせるための部材、前記先端部の長い方の周壁を内側に向けて屈曲した形状に付形させるための部材、又はカテーテルを補強する部材は、外周に配置された超弾性合金と、その中心部に配置されたＸ線不透過性材料とで構成されているので、Ｘ線不透過性材料のみを用いた部材と比べて、柔軟性及び形状復元性が高く、しかも、血管等の管状器官内に留置する際に、その位置をＸ線透視カメラによって視認できるので、本発明のカテーテルを目的とする治療箇所に正確に留置することができる。
【発明の効果】
【００２１】
本発明のカテーテルによれば、斜めにカットしたカテーテルの先端部における、短い方の周壁を他の部分に比べて硬く形成したので、短い方の周壁は変形しにくく、一方、周方向の反対側における長い方の周壁は変形しやすくなり、先端部の短い方の周壁が外側に、長い方の周壁が内側となる方向性をもって屈曲する。そして、カテーテルの先端部を血管等の分岐部に至らせ、目的の分岐管に予め挿入されたガイドワイヤに沿って進行させ、カテーテルの先端を分岐管に挿入すると、上記方向性によって先端部の長い方の周壁が内側に、短い方の周壁が外側となって屈曲する。その結果、短い方向の周壁の端部が分岐管の角部に引っ掛かったとしても、その部分は斜めにカットされているので分岐管の角部を滑り抜けてスムーズに目的とする分岐管に導入することができる。特に血管の分岐部における、ガイドワイヤに対するカテーテルの追従性を向上させることができる。また上記特許文献１のように、ガイドワイヤ挿通用の部材等を、別途設ける必要がないので、カテーテルの大型化を防止し、細い血管内にも容易に挿入可能で、製造コストの低廉化も図れる。
【発明を実施するための最良の形態】
【００２２】
以下、図１〜６を参照して、本発明のカテーテルの一実施形態を説明する。      
図１に示されるように、このカテーテル１０は、チューブ形状をなしたカテーテル本体２０と、このカテーテル本体２０の基端に連結されるハブ３０とで構成されている。このハブ３０は、ポリプロピレン、ナイロン等の合成樹脂で形成され、手で把持しやすいように扁平な形状をなしている。更に、このハブ３０はカテーテル本体２０に連通する導入管３１を有しており、この導入管３１を通して後述するガイドワイヤ４０が挿入される。
【００２３】
カテーテル本体２０は、一定の外径で延びている基端部２３を有している。更に、この基端部２３から先端に向けて縮径した形状をなしたテーパー部２２が形成されており、このテーパー部２２から、先端部２１が延出して形成されている。このように、先端部２１を基端部２３よりも小径にすることにより、先端部２１の柔軟性、及び血管内への挿入性を向上させている。
【００２４】
このようなカテーテル本体２０は、例えば、ポリウレタン、ナイロン、ポリエチレン、ポリプロピレン、シリコーン等の合成樹脂等から形成される。また、ポリテトラフルオロエチレン（ＰＴＦＥ）、パーフルオロアルコキシ樹脂（ＰＦＡ）等からなるチューブを内側に配置して（以下、内側チューブという）、これに前述のポリウレタン等の合成樹脂からなるチューブを外側に被覆して（以下、外側チューブという）、２層構造をなしたものを用いてもよい。なお、前記内側チューブは、ガイドワイヤに対する潤滑性を確保するためのものである。
【００２５】
更に、前記内側チューブと外側チューブとの間に、強化層を挟みこんで埋設し、カテーテル本体２０を形成してもよい。この強化層は、例えば、ステンレス、Ｗ、Ａｕメッキを施したＷ、Ｎｉ−Ｔｉ合金等の金属からなる金属線材、又はナイロン、ポリエステル等の合成樹脂からなる線材を、交互に交差させて形成した、いわゆる編組形状をなしたものが好適に用いられる。又は、金属線材からなるコイルを強化層として用いてもよい。この強化層は、カテーテル本体２０の基端部２３から先端部にまで設けるか、或いは、テーパー部２２を少し越えて先端部２１の手前にまで設けてもよい。このように、強化層を埋設することにより、カテーテル本体２０のトルク伝達性、ねじれ耐性（耐キンク性）、プッシュアビリティを向上させることができ、更に、カテーテル本体２０の伸びを防止することも可能となる。また、前記金属線材は、Ｘ線不透過材料、例えば、Ｐｔ、Ｐｔ合金、Ｗ、Ａｕメッキを施したＷ、Ａｕ等の金属が用いてもよく、この場合、Ｘ線モニター等により、カテーテル１０の位置を把握可能となる。
【００２６】
更に、カテーテル本体２０の外周には、血管内壁等に対するカテーテル本体２０の潤滑性を向上させたり、血栓をなるべく付着させたりしないように、例えば、ポリビニルピロリドン、ポリエチレングリコール、メチルビニルエーテル無水マレイン酸共重合体等の親水性樹脂がコーティングされていることが好ましい。
【００２７】
また、前述のカテーテル本体２０の先端部２１は、その先端にて周方向に対して、斜めにカットされた形状をなしている。この斜めにカットされた先端部２１は、後述するように、その短い方の周壁２１ａが、他の部分に比べて硬く形成されている。
【００２８】
更に、カテーテル本体２０の先端部２１の近傍には、Ｘ線不透過材料からなるマーカーリング２４が設けられている。そのためＸ線モニター等により、カテーテル１０を挿入した際の位置を把握可能となっている。このマーカーリング２４としては、例えば、Ｐｔ、Ｐｔ合金、Ｗ、Ａｕメッキを施したＷ、Ａｕ等の金属が好ましく用いられる。
【００２９】
このような形状のカテーテル本体２０は、例えば、次のようにして形成される。まず押し出し成形等によって、カテーテル本体２０全体を成形する。そして、カテーテル本体２０の先端から芯棒を挿入し、更に先端を加熱して柔らかくした状態で、カテーテル本体２０の径よりやや小径のキャビティを有する金型等で押圧する。その後、基端部２３と先端部２１との間を、溶剤等により溶かし滑らかにして、テーパー部２２を形成する。そして、先端部２１の先端を斜めにカットしてカテーテル本体２０が形成される。
【００３０】
又は、基端部２３を押し出し成形にて別体で成形する。そして、先端部２１及びテーパー部２２を射出成形で一体成形する。そして、基端部２３の先端と、テーパー部２２の基端とを重ね合わせて配置し、この状態で、金属製の図示しないマンドレルを、基端部２３とテーパー部２２とが重なった位置にまで挿入する。そして、重ね合わせた位置の外側から、上下型からなる図示しない金型で挟み込む。この状態で、金型とマンドレルとの間に高周波電圧を印加して誘電加熱を行うことにより、テーパー部２２と基端部２３とを加熱溶着させ、カテーテル本体２０を形成してもよい。
【００３１】
図２〜５には、カテーテル本体２０の先端部２１を斜めにカットした場合における、短い方の周壁２１ａを硬くさせるための手段が示されている。
【００３２】
図２には、先端部２１の短い方の周壁２１ａを、他の部分に比べて硬くさせる手段の第１の例が示されている。この例の場合、短い方の周壁２１ａは、それ以外の部分に比べて、厚く形成されている。これにより、短い方の周壁２１ａの方が、それ以外の部分、特に長い方の周壁２１ｂよりも硬く形成されることとなる。
【００３３】
図３には、先端部２１の短い方の周壁２１ａを、他の部分に比べて硬くさせる手段の第２の例が示されている。この例の場合、短い方の周壁２１ａには、線材２５が埋設されており、それ以外の部分よりも硬く形成されることとなる。
【００３４】
この線材２５の材質としては、Ｎｉ−Ｔｉ合金、Ｃｕ−Ｚｎ−Ｘ（Ｘ＝Ａｌ，Ｆｅ等）合金、Ｎｉ−Ｔｉ−Ｘ（Ｘ＝Ｆｅ，Ｃｕ，Ｖ，Ｃｏ等）合金等からなる超弾性材料、ステンレス、ピアノ線等の金属線材、又はポリエステル、ナイロン等の合成樹脂が好ましく用いられる。
【００３５】
前記Ｎｉ−Ｔｉ合金等は、形状記憶合金として、形状記憶効果や超弾性効果を持つことが広く知られ、超弾性効果を持つものは、塑性変形する通常の金属材料とは異なり、降伏点をこえる変形ひずみを与えても、除荷すると元の形状へ復帰し、ねじりや曲げに対する戻り特性も大きいため、硬さを付加する手段として好適である。
【００３６】
また、図８には、本発明において特に好ましく用いられる線材２５ａが示されている。この線材２５ａは、外周に配置された超弾性合金ｂと、その中心部に配置されたＸ線不透過性材料ａとで構成される。外周に配置された超弾性合金ｂと中心部に配置されたＸ線不透過性材料ａは、一体であっても、別体で相対的に移動可能であってもよい。この線材２５ａは、中心部に配置されたＸ線不透過性材料ａ及び外周に配置された超弾性合金ｂで形成されているので、管状器官の屈曲部に自然に曲がって対応することが可能な柔軟性と、線材２５ａの位置をＸ線透視カメラによって視認できる視認性とを兼ね備えており、本発明のカテーテルを目的とする管状器官内部の治療箇所に、スムーズに、かつ、正確に留置することができる。
【００３７】
上記中心部に配置されたＸ線不透過材料ａとしては、Ａｕ、Ｐｔ、Ｐｄ等の金属が用いられ、外周に配置された超弾性合金ｂとしては、Ｎｉ−Ｔｉ系の形状記憶合金等が好ましく用いられる。また、図８における中心部に配置されたＸ線不透過材料ａの直径Ｘと、線材の直径Ｙとの関係は、中心部に配置されたＸ線不透過材料ａの横断面積が線材の横断面積に対して１０〜４０％の範囲となるように設定することが好ましい。
【００３８】
なお、上記線材２５ａを、前述の金属線材からなる編組形状をなした強化層、又はコイル形状からなる強化層に用いてもよい。
【００３９】
図４には、先端部２１の短い方の周壁２１ａを、他の部分に比べて硬くさせる手段の第３の例が示されている。この例の場合、短い方の周壁２１ａの表面に、ＵＶ光（紫外線）を照射して硬化させるようになっている。この際の短い方の周壁２１ａは、ＵＶ光の照射により硬化する樹脂材料（モノマー、オリゴマー、光重合開始剤、添加材等を含むもの）で形成されている。この例のように、短い方の周壁２１ａの肉厚が０．０３〜０．２ｍｍの場合、ＵＶ光を５〜６０秒照射させることにより、短い方の周壁２１ａを硬化させている。なお、ＵＶ光の照射時は、短い方の周壁２１ａ以外の周壁をテープ等でマスキングしてからＵＶ光を照射することにより、短い周壁２１ａ以外の硬化を防止している。
【００４０】
図５には、先端部２１の短い方の周壁２１ａを、他の部分に比べて硬くさせる手段の第４の例が示されている。この例の場合、図２〜４の場合と異なり、長い方の周壁２１ｂに、所定長さのスリット２１ｃが形成されている。そして、このスリット２１ｃによって、長い方の周壁２１ｂの強度を低下させることにより、結果として、短い方の周壁２１ａの方が硬くなることとなる。
【００４１】
また、図示はしないが、上述のようにカテーテル本体２０を形成しておき、その後、短い方の周壁２１ａに、シアノアクリレート系等のアクリル系接着材を、短い方の周壁２１ａに塗布することにより硬化させてもよい。
【００４２】
更に、図示はしないが、短い方の周壁２１ａを、それ以外の部分よりも硬い樹脂材料を用いて形成することにより、硬くしてもよい。これは、少なくとも２種類の樹脂材料を供給できる成形機を用い、硬さの異なる樹脂材料を、供給用のノズル等を順次切り替えて、型枠のキャビティ内に供給することにより、短い方の周壁２１ａを硬く形成し、それ以外の部分を柔らかく形成するものである。
【００４３】
以上のように形成された本発明のカテーテル１０は、図６のように用いられる。なお、この際用いられるガイドワイヤ４０としては、公知の各種のものが使用できる。すなわち、超弾性合金や、ステンレスなどからなる芯線に合成樹脂膜を被覆したものや、芯線の外周にコイルを装着し、このコイルの外周を更に合成樹脂膜で被覆したものなどが用いられる。
【００４４】
まず、血管内にガイドワイヤ４０を挿入し、このガイドワイヤ４０の外周に沿ってカテーテル１０を挿入していく。又は、ガイドワイヤ４０の外周にカテーテル１０を配置した状態で、ガイドワイヤ４０の先端を少し進行させたら、カテーテル１０を追従させて進行させるという操作を繰り返して、カテーテル１０を進行させてもよい。
【００４５】
そして、血管の分岐部にガイドワイヤ４０が到達したら、ガイドワイヤ４０の先端部を目的とする分岐管３に進行させる。次いで、ガイドワイヤ４０の外周に沿って、本発明のカテーテル１０を進行させていくことになる。
【００４６】
この際に、本発明のカテーテル１０は、斜めにカットした先端部２１における、短い方の周壁２１ａを他の部分に比べて硬く形成したので、短い方の周壁２１ａは変形しにくく、一方、周方向の反対側における長い方の周壁２１ｂは変形しやすくなる。すなわち、先端部の短い方の周壁２１ａが外側に、長い方の周壁２１ｂが内側となるような方向性をもって屈曲しやすくなる。
【００４７】
したがって、血管の分岐部において、本発明のカテーテル１０は、図６に示されるように、上記方向性によって先端部２１の長い方の周壁２１ｂが内側に、短い方の周壁２１ａが外側となって屈曲し、短い方向の周壁２１ａの端部が分岐管３の角部に引っ掛かったとしても、その部分は斜めにカットされているので分岐管３の角部を滑り抜けてスムーズに目的とする分岐管３に導入することができる。このように、本発明のカテーテル１０によれば、分岐管３の角部にカテーテル１０の先端部２１が引っ掛かることがなく、目的とする分岐管３にスムーズに進行させることができるので、特に図６に示されるような血管の分岐部における、ガイドワイヤ４０に対するカテーテル１０の追従性を向上させることができる。
【００４８】
図７には、本発明のカテーテルの他の実施形態が示されている。なお、前記実施形態と実質的に同一部分には、同符合を付してその説明を省略することにする。
【００４９】
図７（Ａ）に示されるカテーテルは、前記実施形態と、斜めにカットされた先端部２１における、短い方の周壁２１ａが、予め付形されている点が異なっている。
【００５０】
この場合、例えば、カテーテル本体２０の短い方の周壁２１ａ、又は、長い方の周壁２１ｂのどちらか一方に付形用の線材を埋設するか、或いは短い方の周壁２１ａ、及び長い方の周壁２１ｂの両方に線材を埋設し、その状態で、図７（Ａ）に示されるように、長い方の周壁を内側にして湾曲するように付形させる。この際の線材としては、図３の短い方の周壁２１ａを硬くさせるための線材２５や、図８に示される線材２５ａが好ましく用いられることとなる。また、線材ではなくコイルを埋設した後、付形させてもよい。
【００５１】
この実施形態によれば、カテーテルの先端部２１を斜めにカットしたことに加えて、予め先端部２１の長い方の周壁２１ｂを内側に向けて屈曲した形状に付形しているので、カテーテル１０の先端部２１を血管等の分岐部に至らせ、目的とする分岐管３に予め挿入されたガイドワイヤ４０に沿って進行させ、カテーテル１０の先端部２１を分岐管３に挿入すると、上記付形形状によって先端部２１の長い方の周壁２１ｂが内側に、短い方の周壁２１ａが外側となって屈曲した状態となる。その結果、短い方向の周壁２１ａの端部が分岐管３の角部に引っ掛かったとしても、その部分は斜めにカットされているので分岐管３の角部を滑り抜けてスムーズに目的とする分岐管３に導入することができる。特に血管の分岐部における、ガイドワイヤ４０に対するカテーテル１０の追従性を向上させることができる。
【００５２】
図７（Ｂ）に示されるカテーテルは、前記実施形態と、斜めにカットされた先端部２１に、更に、円筒状壁部２６が形成されている点が異なっている。
【００５３】
この円筒状壁部２６は、チューブ本体２０よりも柔軟な材質で形成されている。そして、これによれば、血管の分岐管３の角部に円筒状壁部が当接すると、柔軟な円筒状壁部２６が押圧されるので、分岐管３の角部に引っ掛かることなく、目的の分岐管３にスムーズに進行させることができるようになる。この円筒状壁部２６は、斜めにカットされた先端部２１に、樹脂を溶解した液を盛るポッティング成形又はディッピング成形等により成形される。
【００５４】
尚、図７（Ｃ）に示されるように、斜めにカットされた先端部２１は、その一部がカットされていてもよい。
【実施例】
【００５５】
実施例
図１に示す形状のカテーテル１０を作製した。
【００５６】
まず、カテーテル本体２０のうち、基端部２３を、押し出し成形機によって成形した。すなわち、外径が０．５５ｍｍで、所定長さの芯材を用い、これにポリウレタンを押し出し、芯材に被覆させてチューブ状に成形した。この際の基端部２３の外径は、０．８５ｍｍであった。
【００５７】
先端部２１及びテーパー部２２は、射出成形機によって成形した。この際の内径は、０．５５ｍｍ、外径は０．８０ｍｍであった。
【００５８】
そして、基端部２３の先端と、テーパー部２２の基端とを重ね合わせ、この状態で、金属製の図示しないマンドレルを、基端部２３とテーパー部２２とが重なった位置にまで挿入する。そして、重ね合わせた位置の外側から、上下型からなる図示しない金型で挟み込んで、金型とマンドレルとの間に高周波電圧を印加して誘電加熱を行った。その結果、テーパー部２２と基端部２３とが加熱溶着により接合された。
【００５９】
更に、先端部２１を、長い方の周壁２１ｂに対して６０度の角度となるように、斜めにカットした。
【００６０】
そして、シアノアクリレート系の接着材を用いて、先端部２１の短い方の周壁２１ａに塗布して硬化させた。
【００６１】
更に、先端部２１にマーカーリング２４を装着して、本発明のカテーテル１０が得られた。
【００６２】
こうして得られたカテーテル１０を、図６に示すように血管の分岐部にて、ガイドワイヤ４０の外周に沿って挿入し、そのまま進行させてみたところ、分岐管３の角部に引っ掛かることがなく、スムーズに目的の分岐管３に進行させることができ、ガイドワイヤに対するカテーテルの追従性が向上したことを確認できた。
【００６３】
試験例
各種のカテーテルについて、ガイドワイヤに対する追従性の試験をした。
【００６４】
図９に示されるような、複数の分岐路１０２、１０３、１０４を有する血管モデル１００を用意した。分岐路１０２、１０３、１０４は、直線状の通路１０１に対して、それぞれ１２０度、９０度、６０度の角度で傾いて形成されている。この際の、分岐路１０２、１０３、１０４の幅は１ｍｍ、直線状の通路１０１の幅は３ｍｍであった。
【００６５】
この血管モデル１００を蒸留水で満たし、この状態でガイドワイヤ１０５を、直線状の通路１０１の始端（図９の右側）から挿入し、分岐路１０２、１０３、１０４のそれぞれに、分岐点より２０ｍｍの距離にガイドワイヤ１０５の先端が位置するようにセットした。この状態で、下記に示す試料１〜３のカテーテル（図９において想像線で示している）を挿入していき、ガイドワイヤ１０５に追従させて、各カテーテルを分岐路１０２、１０３、１０４に進行させることができたか否かを確認した。
【００６６】
試料１
上述した実施例とほぼ同様のカテーテルを作製した。ただし、テーパー部２２は形成しておらず、カテーテル本体は一定径となっている。この際の、カテーテル本体の内径は０．５５ｍｍ、外径は０．８５ｍｍであった。そして、長い方の周壁に対して６０度の角度となるように、先端部を斜めにカットした。更に、先端部の短い方の周壁に、その端部から３０ｍｍの範囲で、シアノアクリレート系の接着材を塗布して、短い方の周壁を硬化させた。
【００６７】
試料２
上述の試料１の先端部をカットせず、長い方の周壁に対して９０度の角度とした以外は、試料１と同様のカテーテルを作製した。
【００６８】
試料３
カテーテル本体の先端部をカットせず、長い方の周壁に対して９０度の角度とし、かつ、接着材も塗布しないカテーテルを作製した。それ以外の構成は、試料１と同様である。
【００６９】
以上の試料１〜３のカテーテルを用いて、ガイドワイヤに対するカテーテルの追従性の試験をした。その結果を、表１に示す。
【００７０】
【表１】
2005312726.tif 000003
【００７１】
この結果のうち、記号の意味は次の通りである。◎は、カテーテルを挿入していく際に、何も引っ掛かりを感じずに、スムーズに挿入できた場合である。○は、多少の引っ掛かりを感じたが、カテーテルを少し引き戻して更に押し込むといった、押し引き動作をすれば、挿入できた場合である。×は、押し引き動作をしても挿入できなかった場合である。
【００７２】
この表１に示されるように、試料１のように、先端部を斜めにカットして、かつ、短い方の周壁を硬くした場合は、どのような分岐角度であっても挿入することができ、カテーテルの追従性が向上したことが明らかとなった。また、試料２のように、先端部を斜めにカットしていない場合と比べて、直線状の通路１０１に対して６０度のような鋭角で傾いた分岐路１０４の場合においても、カテーテルを追従させることができ、ガイドワイヤに対するカテーテルの追従性の向上を確認できた。
【産業上の利用可能性】
【００７３】
本発明は、血管の分岐部における、ガイドワイヤに対するカテーテルの追従性を向上させ、目的の分岐管にカテーテルを確実に到達させることができるとともに、細い血管にも容易に挿入でき、更に製造コストも低減できるカテーテルとして利用することができる。
【図面の簡単な説明】
【００７４】
【図１】本発明のカテーテルの一実施形態を示す斜視図である。
【図２】同カテーテルの先端部の短い方の周壁を、他の部分に比べて硬くさせる手段の第１の例を示しており、（Ａ）は軸方向に平行に切断した場合の断面図、（Ｂ）はＡ−Ａ矢視線における断面図である。
【図３】同カテーテルの先端部の短い方の周壁を、他の部分に比べて硬くさせる手段の第２の例を示しており、（Ａ）は軸方向に平行に切断した場合の断面図、（Ｂ）はＢ−Ｂ矢視線における断面図である。
【図４】同カテーテルの先端部の短い方の周壁を、他の部分に比べて硬くさせる手段の第３の例を示しており、（Ａ）は軸方向に平行に切断した場合の断面図、（Ｂ）はＣ−Ｃ矢視線における断面図である。
【図５】同カテーテルの先端部の短い方の周壁を、他の部分に比べて硬くさせる手段の第４の例を示しており、（Ａ）は軸方向に平行に切断した場合の断面図、（Ｂ）はＤ−Ｄ矢視線における断面図である。
【図６】同カテーテルを血管の分岐部において使用した状態を示す説明図である。
【図７】本発明のカテーテルの他の実施形態を示しており、（Ａ）はカテーテルの先端部を付形させた場合の説明図、（Ｂ）はカテーテルの先端部に更に円筒状壁部を設けた場合の説明図である。
【図８】本発明のカテーテルの先端部における短い方の周壁を、他の部分に比べて硬くさせるための線材の例である。
【図９】実施例におけるカテーテルの追従性試験の方法を示す説明図である。
【図１０】従来のカテーテルの問題点を示しており、（Ａ）はカテーテルの先端が分岐管の角部に引っ掛かった場合の説明図、（Ｂ）はカテーテルが目的とする分岐管に進行しなかった場合の説明図である。
【符号の説明】
【００７５】
１０  カテーテル
２１  先端部
２１ａ  短い方の周壁
２１ｂ  長い方の周壁
２６  円筒状壁部
ａ  Ｘ線不透過性材料
ｂ  超弾性合金
【図１】
2005312726.tif 000004
【図２】
2005312726.tif 000005
【図３】
2005312726.tif 000006
【図４】
2005312726.tif 000007
【図５】
2005312726.tif 000008
【図６】
2005312726.tif 000009
【図７】
2005312726.tif 000010
【図８】
2005312726.tif 000011
【図９】
2005312726.tif 000012
【図１０】
2005312726.tif 000013